(57)【要約】【課題】人工歯根に取り付けるための取付けネジを挿入しやすいアバットメントを提供する。【解決手段】顎骨に埋め込まれた人工歯根に取り付けるための取付けネジが挿通する取付け孔１７が形成されたアバットメント１０であって、人工歯根が延びる方向に対して斜め方向に延びるように形成され補綴部材を固定するための固定ネジが螺合する固定孔１２ａ、が形成されたポスト部１２を備え、取付け孔１７は、人工歯根側の第１孔１８と、取付けネジが挿入される側の第２孔１９とを含み、第２孔１９を隔てたポスト部１２の先端側の部分と反対側の部分は、該先端側の部分に対向する対向壁２２として設けられ、対向壁２２における第２孔１９側の壁面の少なくとも一部は、第１孔１８の軸心Ｍ１に対してポスト部１２が延びる方向と反対側に傾く対向壁傾斜面２２ａとして設けられている。【選択図】図６
2014147431.tif 000002
【特許請求の範囲】
【請求項１】
顎骨に埋め込まれた人工歯根に取り付けるための取付けネジが挿通する取付け孔が形成されたアバットメントであって、
前記人工歯根が延びる方向に対して斜め方向に延びるように形成され、補綴部材を固定するための固定ネジが螺合する固定孔、が形成されたポスト部を備え、
前記取付け孔は、前記人工歯根側の第１孔と、前記取付けネジが挿入される側の第２孔とを含み、
前記第２孔と前記固定孔とを区画する区画壁を更に備え、
前記第２孔を隔てた前記ポスト部の先端側の部分と反対側の部分は、該先端側の部分に対向する対向壁として設けられ、
前記対向壁における前記第２孔側の壁面の少なくとも一部は、前記第１孔の軸心に対して前記ポスト部が延びる方向と反対側に傾く対向壁傾斜面として設けられていることを特徴とする、アバットメント。
【請求項２】
請求項１に記載のアバットメントにおいて、
前記区画壁における前記第２孔側の壁面の少なくとも一部は、前記第１孔の軸心に対して前記ポスト部が延びる方向と反対側に傾く区画壁傾斜面として設けられていることを特徴とする、アバットメント。
【請求項３】
請求項２に記載のアバットメントにおいて、
前記対向壁傾斜面における、前記第１孔の軸心に対する傾斜角度は、前記区画壁傾斜面における、前記第１孔の軸心に対する傾斜角度よりも大きいことを特徴とする、アバットメント。
【請求項４】
請求項２に記載のアバットメントにおいて、
前記対向壁傾斜面における、前記第１孔の軸心に対する傾斜角度は、前記区画壁傾斜面における、前記第１孔の軸心に対する傾斜角度と同じであることを特徴とする、アバットメント。
【請求項５】
顎骨に埋め込まれる人工歯根と、
請求項１から請求項４のいずれか１項に記載のアバットメントと、
前記アバットメントを前記人工歯根に取り付けるための取付けネジと、
補綴部材に挿通されて固定されるシリンダ部材と、
前記補綴部材に固定されたシリンダ部材を前記アバットメントに固定するための固定ネジと
を備えていることを特徴とする、インプラント。
【発明の詳細な説明】
【技術分野】
【０００１】
本発明は、人工歯等の補綴部材をフィクスチャーに固定するためのアバットメント、及びアバットメントを備えたインプラントに関する。
【背景技術】
【０００２】
従来より、歯周病等により抜け落ちた天然歯を補綴するために、インプラントを用いることが知られている。一般的に、インプラントは、フィクスチャー（人工歯根）及びアバットメントを備えている。インプラントでは、顎骨に埋め込まれた状態のフィクスチャーに取り付けられたアバットメントに対して、人工歯等の補綴部材が固定される。
【０００３】
また、上記アバットメントの一種として、フィクスチャーが延びる方向に対して傾けた状態で人工歯を取り付けるための、いわゆるアングルタイプのアバットメントが知られている。例えば、特許文献１の図１に開示されるスペーサ部材（アバットメント）は、顎骨内に埋め込まれた取付け具（人工歯根）に取り付けられる基部１と、歯の補綴を取り付けるための上部円錐形部分９（ポスト部）とを備えている。基部１には、アバットメントを人工歯根に取り付けるスペーサねじ（取付けネジ）のための貫通孔５（取付け孔）が形成されている。この貫通孔５は、人工歯根に形成されたネジ穴（フィクスチャー穴）と軸心が同軸となるように形成されている。上部円錐形部分９は、上記貫通孔５の軸心に対して斜め方向に延びるように形成されている。
【先行技術文献】
【特許文献】
【０００４】
【特許文献１】特許３５５７２１４号
【発明の概要】
【発明が解決しようとする課題】
【０００５】
ところで、上記特許文献１のアバットメントにおいて、取付けネジを取付け孔の中心軸方向に挿入する場合、取付けネジがポスト部に近接するため、ポスト部が邪魔になり、取付けネジを挿入しにくい。
【０００６】
本発明は、上記課題を解決するためのものであり、その目的は、人工歯根に取り付けるための取付けネジを挿入しやすいアバットメントを提供することである。
【課題を解決するための手段】
【０００７】
（１）上記目的を達成するための本発明のある局面に係るアバットメントは、顎骨に埋め込まれた人工歯根に取り付けるための取付けネジが挿通する取付け孔が形成されたアバットメントであって、前記人工歯根が延びる方向に対して斜め方向に延びるように形成され、補綴部材を固定するための固定ネジが螺合する固定孔、が形成されたポスト部を備え、前記取付け孔は、前記人工歯根側の第１孔と、前記取付けネジが挿入される側の第２孔とを含み、前記第２孔と前記固定孔とを区画する区画壁を更に備え、前記第２孔を隔てた前記ポスト部の先端側の部分と反対側の部分は、該先端側の部分に対向する対向壁として設けられ、前記対向壁における前記第２孔側の壁面の少なくとも一部は、前記第１孔の軸心に対して前記ポスト部が延びる方向と反対側に傾く対向壁傾斜面として設けられている。
【０００８】
この構成では、ポスト部に補綴部材を固定するための固定ネジが螺合する固定孔は、人工歯根が延びる方向に対して斜め方向に延びるように形成されている。こうすると、補綴部材を、人工歯根が延びる方向に対して傾けて固定することができる。この構成によれば、神経損傷を回避するためなどに人工歯根を顎骨に対して斜め方向に埋入させなければならない場合であっても、補綴部材を斜めに傾かないように、他の歯が延びる方向に揃えて真っ直ぐに取り付けることが可能となる。
【０００９】
また、この構成では、取付けネジを取付け孔に挿入する際、対向壁傾斜面に沿うように挿入できる。対向壁傾斜面は、第１孔の軸心に対してポスト部が延びる方向と反対側に傾いているため、取付けネジは、ポスト部の先端側の部分から離れた位置から取付け孔に挿入される。これにより、取付けネジがポスト部の先端側の部分に当たるのを避けながら、取付けネジを取付け孔に挿入できる。従って、取付けネジを取付け孔にスムーズに挿入できる。
【００１０】
従って、上述の構成によれば、人工歯根に取り付けるための取付けネジを挿入しやすいアバットメントを提供できる。
【００１１】
（２）好ましくは、前記区画壁における前記第２孔側の壁面の少なくとも一部は、前記第１孔の軸心に対して前記ポスト部が延びる方向と反対側に傾く区画壁傾斜面として設けられている。
【００１２】
上述のように、取付けネジは、対向壁傾斜面に沿って挿入される。よって、対向壁と対向する区画壁の少なくとも一部が第１孔の軸心に対してポスト部が延びる方向と反対側に傾くことにより第２孔側へ張り出していても、取付けネジの挿入が大きく阻害されることはない。すなわち、上記構成により、取付けネジの挿入しやすさを維持しつつ、区画壁の断面積を増大させて区画壁の強度を向上できる。
【００１３】
（３）更に好ましくは、前記対向壁傾斜面における、前記第１孔の軸心に対する傾斜角度は、前記区画壁傾斜面における、前記第１孔の軸心に対する傾斜角度よりも大きい。
【００１４】
この構成によれば、区画壁における第２孔への張り出し量を比較的小さくできる。従って、取付けネジを取付け孔に挿入する際に、取付けネジが区画壁傾斜面に引っかかりにくくなるため、取付けネジを挿入しやすくなる。
【００１５】
（４）好ましくは、前記対向壁傾斜面における、前記第１孔の軸心に対する傾斜角度は、前記区画壁傾斜面における、前記第１孔の軸心に対する傾斜角度と同じである。
【００１６】
この構成によれば、取付けネジの挿入しやすさと、区画壁の強度とを、バランス良く確保できる。
【００１７】
（５）また、上記課題を解決するため、本発明のある局面に係るインプラントは、顎骨に埋め込まれる人工歯根と、上述したいずれかのアバットメントと、前記アバットメントを前記人工歯根に取り付けるための取付けネジと、補綴部材に挿通されて固定されるシリンダ部材と、前記補綴部材に固定されたシリンダ部材を前記アバットメントに固定するための固定ネジとを備えている。
【００１８】
この構成では、人工歯根に取り付けるための取付けネジを挿入しやすいアバットメントを備えたインプラントを提供できる。
【発明の効果】
【００１９】
本発明によると、人工歯根に取り付けるための取付けネジを挿入しやすいアバットメントを提供できる。
【図面の簡単な説明】
【００２０】
【図１】本発明の実施形態に係るインプラントの使用形態の一例を示す模式図であって、構成部品の一部を分解して示す図である。
【図２】本発明の実施形態に係るインプラントの縦断面図である。
【図３】本発明の実施形態に係るアバットメントの斜視図である。
【図４】図３に示すアバットメントの正面図である。
【図５】図３に示すアバットメントの平面図である。
【図６】図３に示すアバットメントの縦断面図であって、図５のVI−VI矢視位置から視た断面図である。
【図７】取付けネジをアバットメントに挿入する際の、取付けネジの動作を説明するための図であって、（Ａ）は挿入前の図、（Ｂ）は挿入途中の図、（Ｃ）は挿入後の図、である。
【図８】変形例に係るアバットメントの縦断面図である。
【発明を実施するための形態】
【００２１】
以下、本発明を実施するための形態について図面を参照しつつ説明する。本発明は、欠損した歯を補綴する補綴部材を取り付けるためのインプラント及びアバットメントに広く適用できる。
【００２２】
図１は、補綴部材としての人工歯５５を、顎骨５０に固定するためのインプラント１の使用態様の一例を示す図であり、図２は、本発明の実施形態に係るインプラント１の縦断面図である。本実施形態に係るインプラント１のアバットメント１０は、フィクスチャー２（人工歯根）が延びる方向に対して人工歯５５を傾けて取り付けることができる、いわゆるアングルタイプのアバットメントである。なお、以下では、説明の便宜上、図２において、上と記載された矢印が指示する方向を上側又は上方、下と記載された矢印が指示する方向を下側又は下方と称する。
【００２３】
［全体構成］
インプラント１は、図２等に示すように、フィクスチャー２と、アバットメント１０と、取付けネジ５と、シリンダ部材６と、固定ネジ７とを備えている。
【００２４】
フィクスチャー２は、顎骨５０にねじ込まれるネジ状の部材であって、骨との親和性が高い材料であるチタン又はチタン合金等で構成されている。フィクスチャー２の外周面には、基端側の一部を除く軸方向の概ね全体に、ネジ山３が形成されている。フィクスチャー２の先端側の部分は、先端に向かって徐々に細くなるように形成され、先端部が球面状に膨出している。フィクスチャー２の基端側の部分には、フィクスチャー２の中心軸方向に延びる有底のフィクスチャー穴４が形成されている。フィクスチャー穴４は、その軸心ＭＦがフィクスチャー２の軸心と同軸となるように形成されている。
【００２５】
フィクスチャー穴４は、フィクスチャー２の基端側（図２の上側）に形成された基端側穴４ａと、フィクスチャー穴４の底部側に形成された底部側穴４ｂとを有している。基端側穴４ａは、軸方向から視た断面が六角形状となる六角穴４ａとして形成されている。底部側穴４ｂは、軸方向から視た断面が円形状となるように形成されている。底部側穴４ｂにおける上側の部分には、雌ネジ４ｃが形成されている。なお、六角穴４ａの軸心と、底部側穴４ｂの軸心は同軸であり、本実施形態では、これらの軸心をフィクスチャー穴４の軸心ＭＦとする。
【００２６】
アバットメント１０は、顎骨５０に埋め込まれたフィクスチャー２に対して人工歯５５を固定するための部材である。アバットメント１０には、該アバットメント１０をフィクスチャー２に取り付けるための取付けネジ５が挿通する取付け孔１７が形成されている。また、アバットメント１０には、人工歯５５に固定されたシリンダ部材６をアバットメント１０に固定するための固定ネジ７が螺合する固定孔１２ａが形成されている。アバットメント１０の詳細な構成については、後述する。
【００２７】
取付けネジ５は、アバットメント１０をフィクスチャー２に取り付けるためのネジである。取付けネジ５は、頭部５ａとネジ部５ｂとが一体に形成されることにより構成されている。頭部５ａは、略円柱状に形成されている。頭部５ａの一端面には、ドライバーのビットが嵌まり込む凹部（図示省略）が形成されている。頭部５ａの他端面からは、略丸棒状に形成されたネジ部５ｂが延びるように形成されている。ネジ部５ｂの外周面における先端側の部分には、フィクスチャー２の雌ネジ４ｃに螺合する雄ネジ５ｃが形成されている。取付けネジ５は、アバットメント１０の取付け孔１７に挿入された状態で、ネジ部５ｂの雄ネジ５ｃがフィクスチャー穴４の雌ネジ４ｃに螺合することにより、アバットメント１０をフィクスチャー２に対して固定する。
【００２８】
シリンダ部材６は、略筒状に形成された部材であって、外周面が人工歯５５に形成された貫通孔に挿通されて固定される。シリンダ部材６は、ベース部６ａと、固定ネジ座部６ｂとを備え、これらが一体に形成されている。ベース部６ａは、筒軸方向に沿って徐々に拡径する円筒状に形成され、内周面がアバットメント１０のポスト部１２の外周面に対して概ね隙間なく面接触するように形成されている。固定ネジ座部６ｂは、ベース部６ａにおける筒軸方向の小径側の端部から略円筒状に延びるように形成されている。
【００２９】
固定ネジ７は、人工歯５５に取り付けられたシリンダ部材６をアバットメント１０の固定孔１２ａに螺合して固定するためのネジである。固定ネジ７は、頭部７ａとネジ部７ｂとを備え、これらが一体に形成されている。ネジ部７ｂの外周面には、アバットメント１０の固定孔１２ａに形成された雌ネジに螺合する雄ネジ７ｃが形成されている。
【００３０】
［アバットメントの構成］
図３から図６は、それぞれ、アバットメント１０の斜視図、正面図、平面図、縦断面図である。アバットメント１０は、基部１１と、ポスト部１２と、首部１３とを備え、これらが一体に形成されている。アバットメント１０も、フィクスチャー２と同様、例えばチタン又はチタン合金等で構成されている。
【００３１】
基部１１は、顎骨５０に埋め込まれたフィクスチャー２に対してアバットメント１０が取り付けられた状態において、歯肉５１に埋め込まれた状態となる部分である（図１参照）。基部１１の上面１１ａは、下面１１ｂに対して所定の角度（本実施形態では１７度）、傾いている。
【００３２】
ポスト部１２は、顎骨５０に埋め込まれたフィクスチャー２に対してアバットメント１０が取り付けられた状態において、歯肉５１から露出した状態となる部分である（図１参照）。ポスト部１２は、図３等に示すように、基部１１の上面１１ａから先端側に向かって徐々に細くなる略円錐台状に形成されている。ポスト部１２は、上面１１ａの法線方向に突出するように形成されている。本実施形態では、ポスト部１２は、顎骨５０に埋め込まれたフィクスチャー２にアバットメント１０が取り付けられた状態において、フィクスチャー穴４の軸心ＭＦに対して１７度、傾いて突出するように形成されている。すなわち、本実施形態のアバットメント１０によれば、人工歯５５を、顎骨５０に埋め込まれたフィクスチャー２に対して約１７度、傾けた状態で取り付けることができる。
【００３３】
ポスト部１２には、図３、図５及び図６等に示すように、該ポスト部１２の上面から斜め下方へ延びる固定孔１２ａが形成されている。固定孔１２ａは、固定ネジ７の雄ネジ７ｃが螺合するネジ孔である。固定孔１２ａの内周面には、雌ネジが形成されている。固定孔１２ａは、アバットメント１０の内部で、後述する取付け孔１７と繋がっている。本実施形態では、固定孔１２ａの軸心ＭＰは、顎骨５０に埋め込まれたフィクスチャー２にアバットメント１０が取り付けられた状態において、フィクスチャー穴４の軸心ＭＦに対して１７度、傾いている。
【００３４】
首部１３は、図３、図４及び図６に示すように、基部１１の下面１１ｂから下方へ延びる略筒状に形成されている。首部１３は、六角筒部１４と、円筒部１５とを備え、これらが一体に形成されている。首部１３には、取付けネジ５が挿通する。
【００３５】
六角筒部１４は、筒軸方向から視て外周面が正六角形、且つ内周面が円形状となるように形成されている。六角筒部１４は、基部１１の下面１１ｂから下方へ延びるように形成されている。
【００３６】
円筒部１５は、略円筒状に形成され、六角筒部１４の下面から下方へ延びるように形成されている。円筒部１５は、外径が、筒軸方向から視た六角筒部１４の対辺長さよりも小さく、且つ内径が六角筒部１４の内径と同径になるように形成されている。
【００３７】
首部１３には、図４及び図６等に示すように、六角筒部１４及び円筒部１５に跨って、筒軸方向に延びる切欠部１６が形成されている。切欠部１６は、アバットメント１０を下方から視たポスト部１２側の部分が、首部１３の筒軸方向全体に亘って切除されるように形成されている。
【００３８】
アバットメント１０には、図６等に示すように、ポスト部１２から基部１１に跨って、概ね上下方向に沿って延びる取付け孔１７が形成されている。取付け孔１７は、取付けネジ５を挿入するための孔である。取付け孔１７は、下側（アバットメント１０がフィクスチャー２に取り付けられた状態における、フィクスチャー２側）の第１孔１８と、上側（取付けネジ５が挿入される側）の第２孔１９とを含んでいる。
【００３９】
第１孔１８は、基部１１の下面１１ｂから上方へ直線状に延び、アバットメント１０における上下方向の途中部分まで延びるように形成されている。第１孔１８は、上下方向から視た断面が円形状に形成されている。第１孔１８の軸心Ｍ１は、顎骨５０に埋め込まれたフィクスチャー２に対してアバットメント１０が取り付けられた状態において、フィクスチャー穴４の軸心ＭＦと概ね同軸になる。
【００４０】
第２孔１９は、上方から視たアバットメント１０のポスト部１２と反対側の部分から斜め下方へ、直線状に延びるように形成され、第１孔１８と繋がっている。第２孔１９は、該第２孔１９が延びる方向から視た断面が円形状に形成されている。第２孔１９の軸心Ｍ２は、第１孔１８の軸心Ｍ１に対して所定の角度（本実施形態では１５度）、傾いている。また、本実施形態では、第２孔１９は、第１孔１８と同じ内径となるように形成されている。
【００４１】
また、アバットメント１０は、区画壁２１及び対向壁２２を有している。
【００４２】
区画壁２１は、取付け孔１７と固定孔１２ａとを区画している壁部であって、ポスト部１２の一部として設けられている。区画壁２１における第２孔１９側の壁面には、固定孔１２ａ側へ凹むように形成された凹部２３が形成されている。この凹部２３は、取付けネジ５を取付け孔１７に挿入する際に、取付けネジ５がポスト部１２と干渉してしまうのを防止するためのものである。この凹部２３により形成された壁面は、区画壁傾斜面２１ａとして設けられる。この区画壁傾斜面２１ａは、図６に示すように、第１孔１８の軸心Ｍ１に対して概ね平行な方向に延びている。すなわち、区画壁傾斜面２１ａにおける、第１孔１８の軸心Ｍ１に対する傾斜角度は、概ね０度である。
【００４３】
対向壁２２は、第２孔１９を介してポスト部１２の先端側の部分と反対側の部分に設けられた壁部であって、該先端側の部分に対向するように設けられている。対向壁２２は、基部１１の一部として設けられている。対向壁２２における第２孔１９側の壁面は、対向壁傾斜面２２ａとして設けられている。対向壁傾斜面２２ａは、第１孔１８の軸心Ｍ１に対して前記ポスト部が延びる方向と反対側に、所定の角度θ（本実施形態では１５度）で傾いている。
【００４４】
本実施形態では、対向壁傾斜面２２ａにおける、第１孔１８の軸心Ｍ１に対する傾斜角度θは、区画壁傾斜面２１ａにおける、第１孔１８の軸心Ｍ１に対する傾斜角度よりも大きい。
【００４５】
［インプラントの取付け］
上述したインプラント１を用いて人工歯５５を取り付ける際の手順について、以下で説明する。
【００４６】
まず、術者は、フィクスチャー２を顎骨５０に対してねじ込むことにより、フィクスチャー２を顎骨５０内に埋設する。本実施形態では、図１に示すように、フィクスチャー２は、神経の損傷を避けるように、顎骨５０に対して斜め方向に埋設される。
【００４７】
次に、術者は、上記フィクスチャー２に対してアバットメント１０を固定する。具体的には、まず、術者は、アバットメント１０の取付け孔１７に取付けネジ５を挿通させた状態とする。そして、ポスト部１２が所定の方向に向くように（本実施形態では、上方を向くように）首部１３の六角筒部１４をフィクスチャー穴４の六角穴４ａに嵌合させた状態で、ドライバー等により取付けネジ５をフィクスチャー穴４に螺合する。これにより、ポスト部１２を、所望の方向に向けた状態でフィクスチャー２に取り付けることができる。
【００４８】
そして、術者は、上記アバットメント１０に対して人工歯５５を固定する。具体的には、術者は、人工歯５５に固定されたシリンダ部材６をアバットメント１０のポスト部１２上にセットする。その後、術者は、固定ネジ７を、人工歯５５に形成された貫通孔（図示省略）に挿通させてシリンダ部材６の固定ネジ座部６ｂに挿通させ、ドライバー等により固定ネジ７をアバットメント１０の固定孔１２ａに螺合する。これにより、人工歯５５がアバットメント１０に対して固定される。
【００４９】
［取付けネジの挿入動作］
図７は、取付けネジ５をアバットメント１０に挿入する際の、取付けネジ５の動作を説明するための図である。図７を用いて、本実施形態に係るアバットメント１０への取付けネジ５の挿入手順について説明する。
【００５０】
まず、術者は、取付けネジ５の軸心が第２孔１９の軸心Ｍ２と概ね同軸となるように取付けネジ５を保持し（図７（Ａ）参照）、取付けネジ５を、第２孔１９の軸心Ｍ２方向に、すなわち、対向壁傾斜面２２ａに沿うように、取付け孔１７へ進出させる。このとき、対向壁傾斜面２２ａが、第１孔１８の軸心Ｍ１に対してポスト部１２が延びる方向と反対側に傾いているため、取付けネジ５が、取付け孔１７にひっかかることなく且つポスト部１２と干渉することなく、該取付けネジ５をスムーズに斜め方向に挿入できる。
【００５１】
また、このとき、首部１３における、アバットメント１０を下方から視たポスト部１２側の部分、に切欠部１６が形成されているため、取付けネジ５の先端部分が首部１３とぶつかることなく、取付けネジ５を斜め下方に挿入できる。これにより、取付けネジ５の頭部５ａが区画壁２１を通過し、該頭部５ａが第２孔１９内に配置されるまで、取付けネジ５が取付け孔１７に挿入される（図７（Ｂ）参照）。
【００５２】
そして、術者は、斜め下方に挿入された状態の取付けネジ５を、その軸心が第１孔１８の軸心Ｍ１と同軸となるように傾ける。そうすると、区画壁２１の下方で取付けネジ５が第１孔１８に対して真っ直ぐな状態となり、取付けネジ５の頭部５ａが第１孔１８内に収容される。これにより、取付けネジ５の取付け孔１７への挿入が完了する（図７（Ｃ）参照）。
【００５３】
［効果］
以上のように、本実施形態に係るアバットメント１０では、ポスト部１２に人工歯５５を固定するための固定ネジ７が螺合する固定孔１２ａは、フィクスチャー２が延びる方向に対して斜め方向に延びるように形成されている。こうすると、人工歯５５を、フィクスチャー２が延びる方向に対して傾けて固定することができる。すなわち、この構成によれば、神経損傷を回避するためなどにフィクスチャー２を顎骨５０に対して斜め方向に埋入させなければならない場合であっても、人工歯５５を斜めに傾かないよう、他の歯が延びる方向に揃えて真っ直ぐに取り付けることが可能となる。
【００５４】
また、アバットメント１０では、取付けネジ５を取付け孔１７に挿入する際、対向壁傾斜面２２ａに沿うように挿入できる。対向壁傾斜面２２ａは、第１孔１８の軸心Ｍ１に対してポスト部１２が延びる方向と反対側に傾いているため、取付けネジ５は、ポスト部１２の先端側の部分から離れた位置から取付け孔１７に挿入される。これにより、取付けネジ５がポスト部１２の先端側の部分に当たるのを避けながら、取付けネジ５を取付け孔１７に挿入できる。これにより、取付けネジ５を取付け孔１７にスムーズに挿入できる。
【００５５】
また、アバットメント１０では、首部１３における、アバットメント１０を下方から視たポスト部１２側の部分、に切欠部１６が形成されている。これにより、取付けネジ５の先端部分が首部１３とぶつかることなく、取付けネジ５を斜め下方へ挿入できる。
【００５６】
従って、上述の構成によれば、フィクスチャー２に取り付けるための取付けネジ５を挿入しやすいアバットメント１０を提供できる。
【００５７】
また、アバットメント１０では、第２孔１９と固定孔１２ａとの間の部分が区画壁２１によって補強されるため、アバットメント１０の強度を強くできる。
【００５８】
また、アバットメント１０では、対向壁傾斜面２２ａにおける、第１孔１８の軸心Ｍ１に対する傾斜角度θは、区画壁傾斜面２１ａにおける、第１孔１８の軸心Ｍ１に対する傾斜角度よりも大きい。これにより、区画壁２１における第２孔１９への張り出し量を比較的小さくできる。従って、取付けネジ５を取付け孔１７に挿入する際に、取付けネジ５が区画壁傾斜面２１ａに引っかかりにくくなるため、取付けネジ５を挿入しやすくなる。
【００５９】
また、アバットメント１０の第２孔１９は、該第２孔１９が延びる方向から視た断面が円形状に形成されている。こうすると、例えばドリル等を用いることにより、第２孔１９を容易に形成できる。
【００６０】
また、上述の構成によれば、フィクスチャー２に取り付けるための取付けネジ５を挿入しやすいアバットメント１０を備えたインプラント１を提供できる。
【００６１】
以上、本発明の実施形態について説明したが、本発明は上述の実施の形態に限られるものではなく、特許請求の範囲に記載した限りにおいて様々な変更が可能である。例えば、次のように変更して実施してもよい。
【００６２】
［変形例］
（１）図８に、変形例に係るアバットメント２０の縦断面図を示す。本変形例に係るアバットメント２０は、上述した実施形態に係るアバットメント１０と比べて、第２孔の形状が異なっている。
【００６３】
本変形例に係るアバットメント２０の第２孔２９は、直線状ではなく、曲線状に延びるように形成されている。具体的には、本変形例に係る第２孔２９は、図８に示すように、上方から視たアバットメント１０のポスト部と反対側の部分から、徐々に下方へ曲がるように延びている。そして、その先端側が、第１孔１８に繋がっている。
【００６４】
上述のような構成であっても、第２孔２９に沿って取付けネジ５を挿入できるため、取付けネジ５を取付け孔２７にスムーズに挿入できる。
【００６５】
（２）上述したアバットメント１０では、対向壁傾斜面２２ａを、第１孔１８の軸心Ｍ１に対して概ね平行な方向に延びるように形成したが、これに限らない。例えば、対向壁傾斜面を、第１孔１８の軸心Ｍ１に対してポスト部１２が延びる方向と反対側に傾くように形成してもよい。
【００６６】
アバットメントでは、上述のように、取付けネジ５が対向壁傾斜面２２ａに沿って挿入される。よって、対向壁２２と対向する区画壁が、第１孔１８の軸心Ｍ１に対してポスト部１２が延びる方向と反対側に傾くことにより第２孔１９側へ張り出していても、取付けネジ５の挿入が大きく阻害されることはない。すなわち、本変形例のように、第１孔１８の軸心Ｍ１に対してポスト部１２が延びる方向と反対側に傾く区画壁傾斜面を設けることにより、取付けネジ５の挿入しやすさを維持しつつ、区画壁の断面積を増大させて区画壁の強度を向上できる。
【００６７】
（３）上述したアバットメント１０では、対向壁傾斜面２２ａにおける、第１孔１８の軸心Ｍ１に対する傾斜角度θは、区画壁傾斜面２１ａにおける、第１孔１８の軸心Ｍ１に対する傾斜角度（上記実施形態では、概ね０度）よりも大きいが、これに限らない。例えば、対向壁傾斜面２２ａの傾斜角度θと、第１孔１８の軸心Ｍ１に対して所定の傾斜角度で傾く区画壁傾斜面２１ａの傾斜角度とが同じであってもよい。これにより、取付けネジ５の挿入しやすさと、区画壁２１の強度とを、バランス良く確保できる。
【００６８】
（４）上述したアバットメント１０では、第１孔１８と第２孔１９とが同径となるように形成されているが、これに限らず、第２孔１９の方を大きな径にしてもよい。これにより、取付けネジ５をよりスムーズに挿入できる。
【００６９】
（５）上述したアバットメント１０では、第２孔１９は、斜め下方に延びるように形成されているが、これに限らない。例えば、アバットメントにおいて、第１孔及び第２孔に概ね対応する位置に、該アバットメントを上下方向に貫通する貫通孔を形成する。そして、該アバットメントの対向壁にテーパー等を形成し、該テーパーによって形成される壁面を対向壁傾斜面としてもよい。このように対向壁傾斜面を形成しても、取付けネジ５を取付け孔１７にスムーズに挿入できる。
【産業上の利用可能性】
【００７０】
本発明は、人工歯等の補綴部材をフィクスチャーに固定するためのアバットメント、及びアバットメントを備えたインプラントとして、広く適用することができる。
【符号の説明】
【００７１】
１              インプラント
２              人工歯根（フィクスチャー）
５              取付けネジ
６              シリンダ部材
７              固定ネジ
１０，２０      アバットメント
１２            ポスト部
１２ａ          固定孔
１７，２７      取付け孔
１８            第１孔
１９，２９      第２孔
２２            対向壁
２２ａ          対向壁傾斜面
５０            顎骨
５５            人工歯（補綴部材）
【図１】
2014147431.tif 000003
【図２】
2014147431.tif 000004
【図３】
2014147431.tif 000005
【図４】
2014147431.tif 000006
【図５】
2014147431.tif 000007
【図６】
2014147431.tif 000008
【図７】
2014147431.tif 000009
【図８】
2014147431.tif 000010